(57)【要約】【課題】  屋根換気材の構成を簡単にし、かつ、その成形作業が容易にできるようにする。【解決手段】  屋根１は、互いに少し離れて対面する樹脂製の上、下板材２０，２１と、これら上、下板材２０，２１に一体的に形成され、これら上、下板材２０，２１の間の空間を仕切るよう互いに平行に延びて多数の通気通路２２を形成する樹脂製の壁材２３とを備える。各通気通路２２を通し屋根１の内、外部側ＩＮ、ＯＵＴを互いに連通可能にさせる。通気通路２２の長手方向での屋根換気材１９の一部分１９ａにおける上板材２０の部分を屈曲させる一方、屋根換気材１９の一部分１９ａにおける下板材２１の部分に、屋根１の内部側ＩＮからの空気２６を各通気通路２２内に流入可能とさせる通気入口２７を形成する。【選択図】  図１
2007046409.tif 000002
【特許請求の範囲】
【請求項１】
互いに少し離れて対面する樹脂製の上、下板材と、これら上、下板材に一体的に形成され、これら上、下板材の間の空間を仕切るよう互いに平行に延びて多数の通気通路を形成する樹脂製の壁材とを備え、上記各通気通路を通し屋根の内、外部側を互いに連通可能にさせるようにした屋根換気材において、
上記通気通路の長手方向での上記屋根換気材の一部分における上記上板材の部分を屈曲させる一方、上記屋根換気材の上記一部分における上記下板材の部分に、屋根の内部側からの空気を上記各通気通路内に流入可能とさせる通気入口を形成したことを特徴とする屋根換気材。
【請求項２】
上記屋根換気材の下面側を上記各通気通路の直交方向に向かって切り欠くことにより、上記通気入口を形成したことを特徴とする請求項１に記載の屋根換気材。
【請求項３】
上記通気通路の長手方向での上記屋根換気材の他部分における上記上板材の部分に、上記各通気通路内の空気を屋根の外部側に向けて流出可能とさせる通気出口を形成したことを特徴とする請求項１、もしくは２に記載の屋根換気材。
【請求項４】
請求項１に記載の屋根換気材を用いた棟屋根であって、
上記屋根が左右に並設される野地板と、これら各野地板にそれぞれ葺かれる左右地瓦群と、これら左右地瓦群の互いの各対向縁部に跨るように設けられる棟瓦群と、上記左右地瓦の各対向縁部と上記棟瓦群の左右各側部との間に介設される左右シール材とを備え、
上記屋根の棟頂部に沿った視線でみて山形状に屈曲され、その各端部側が上記各野地板と各地瓦群との間に介設される上記屋根換気材と、上記視線でみて山形状に屈曲され、その各端部側が上記棟瓦群の各側部と各シール材との間に介設される他の屋根換気材とを設けた棟屋根。
【発明の詳細な説明】
【技術分野】
【０００１】
本発明は、屋根の内部側の空気を多数の通気通路を通し外部側に排出させて、屋根の内部側の換気を可能とする屋根換気材に関するものである。
【背景技術】
【０００２】
上記屋根換気材には、従来、下記特許文献１に示されるものがある。この公報のものによれば、屋根換気材は、左右対称の換気部材を備え、これら各換気部材は、それぞれ互いに少し離れて対面するよう積層される樹脂製の多数板材と、これら板材に一体的に形成され、隣り合う両板材の間の空間を仕切るよう互いに平行に延びて多数の通気通路を形成する樹脂製の壁材とを備えている。
【０００３】
また、上記屋根換気材は、上記左右換気部材を互いに相対回動可能に結合させる結合体（不図示）を備えている。そして、この結合体が山折れ屈曲させられて、上記左右換気部材が八の字形状とされ、この状態で、上記屋根換気材が棟屋根の頂部に設置される（上記公報中、図１，３）。そして、上記各通気通路を通し屋根の内部側の空気が外部側に排出され、これによって、屋根の内部側の換気が可能とされている。
【０００４】
【特許文献１】特許第２６１０３４２号公報
【発明の開示】
【発明が解決しようとする課題】
【０００５】
ところで、上記従来の技術では、屋根換気材は、個別に成形される左右一対の換気部材と、これらを互いに相対回動可能に結合させる結合体とを備え、つまり、少なくとも３つの構成部品を備えていて、その部品点数が多く、このため、上記屋根換気材の構成が複雑となっている。
【０００６】
また、上記従来の技術の屋根換気材の成形作業では、左右換気部材を結合体により互いに結合させる作業が必要とされるが、これは煩雑である。
【課題を解決するための手段】
【０００７】
本発明は、上記のような事情に注目してなされたもので、本発明の目的は、屋根換気材の構成を簡単にし、かつ、その成形作業が容易にできるようにすることである。
【０００８】
請求項１の発明は、互いに少し離れて対面する樹脂製の上、下板材２０，２１と、これら上、下板材２０，２１に一体的に形成され、これら上、下板材２０，２１の間の空間を仕切るよう互いに平行に延びて多数の通気通路２２を形成する樹脂製の壁材２３とを備え、上記各通気通路２２を通し屋根１の内、外部側ＩＮ、ＯＵＴを互いに連通可能にさせるようにした屋根換気材において、
上記通気通路２２の長手方向での上記屋根換気材１９の一部分１９ａにおける上記上板材２０の部分を屈曲させる一方、上記屋根換気材１９の上記一部分１９ａにおける上記下板材２１の部分に、屋根１の内部側ＩＮからの空気２６を上記各通気通路２２内に流入可能とさせる通気入口２７を形成したものである。
【０００９】
請求項２の発明は、請求項１の発明に加えて、上記屋根換気材１９の下面側を上記各通気通路２２の直交方向に向かって切り欠くことにより、上記通気入口２７を形成したものである。
【００１０】
請求項３の発明は、請求項１、もしくは２の発明に加えて、上記通気通路２２の長手方向での上記屋根換気材１９の他部分１９ｂにおける上記上板材２０の部分に、上記各通気通路２２内の空気２６を屋根１の外部側ＯＵＴに向けて流出可能とさせる通気出口３２を形成したものである。
【００１１】
請求項４の発明は、請求項１に記載の屋根換気材１９を用いた棟屋根１であって、
上記屋根１が左右に並設される野地板２，２と、これら各野地板２にそれぞれ葺かれる左右地瓦６，６群と、これら左右地瓦６，６群の互いの各対向縁部９，９に跨るように設けられる棟瓦１０群と、上記左右地瓦６，６の各対向縁部９，９と上記棟瓦１０群の左右各側部との間に介設される左右シール材１４，１４とを備え、
上記屋根１の棟頂部に沿った視線でみて（図１，２）山形状に屈曲され、その各端部側１８が上記各野地板２と各地瓦６群との間に介設される上記屋根換気材１９と、上記視線でみて（図１，２）山形状に屈曲され、その各端部側１８が上記棟瓦１０群の各側部と各シール材１４との間に介設される他の屋根換気材１９とを設けたものである。
【００１２】
なお、この項において、上記各用語に付記した符号は、本発明の技術的範囲を後述の「実施例」の項や図面の内容に限定解釈するものではない。
【発明の効果】
【００１３】
本発明による効果は、次の如くである。
【００１４】
請求項１の発明は、互いに少し離れて対面する樹脂製の上、下板材と、これら上、下板材に一体的に形成され、これら上、下板材の間の空間を仕切るよう互いに平行に延びて多数の通気通路を形成する樹脂製の壁材とを備え、上記各通気通路を通し屋根の内、外部側を互いに連通可能にさせるようにした屋根換気材において、
上記通気通路の長手方向での上記屋根換気材の一部分における上記上板材の部分を屈曲させる一方、上記屋根換気材の上記一部分における上記下板材の部分に、屋根の内部側からの空気を上記各通気通路内に流入可能とさせる通気入口を形成してある。
【００１５】
このため、上記屋根換気材を屋根の構造に合致するよう八の字状などに屈曲させて用いようとする場合、前記従来の技術では３つの構成部品が必要とされたが、上記屋根換気材では、単一の構成部品で足りる。よって、この屋根換気材の部品点数が少なくなる分、その構成を簡単にできる。
【００１６】
また、前記従来の技術では、左右換気部材を結合体により結合するという結合作業が必要とされたが、上記屋根換気材の成形作業では、上記結合作業は不要であり、よって、その分、この屋根換気材の成形作業は容易にできる。
【００１７】
しかも、上記のように屈曲させる上板材の部分と、上記通気入口を形成した下板材の部分とは、共に上記通気通路の長手方向における屋根換気材の一部分に位置している。このため、上記上板材の部分を屈曲させるとき、その反力として上記下板材の部分に応力が生じるということは回避される。よって、上記上板材の部分の屈曲が容易にできる。この結果、上記屋根換気材を所望形状に屈曲させて屋根に設置する、という設置作業は容易にできる。
【００１８】
請求項２の発明は、上記屋根換気材の下面側を上記各通気通路の直交方向に向かって切り欠くことにより、上記通気入口を形成している。
【００１９】
このため、上記屋根換気材を成形する場合には、まず、上記上、下板材と壁材とで構成される中間品を押出成形し、次に、この中間品を切断することにより所望寸法に形成すると共に、フライス削りやグラインダーなどにより、上記通気入口を切り欠き成形すればよい。そして、これら各作業はいずれも単純作業であるため、これら作業による上記屋根換気材の成形作業は容易にできる。
【００２０】
請求項３の発明は、上記通気通路の長手方向での上記屋根換気材の他部分における上記上板材の部分に、上記各通気通路内の空気を屋根の外部側に向けて流出可能とさせる通気出口を形成している。
【００２１】
このため、上記通気通路の長手方向で、上記屋根換気材を十分に長くして屋根の外部側から内部側への水の浸入をより確実に防止するようにした場合でも、上記各通気通路内の空気を屋根の外部側に向けて排出させようとする通気入口の位置は、屋根の構造に合致するよう、上記通気通路の長手方向での上記屋根換気材の中途部のいずれかに自由に設定できる。よって、上記屋根換気材による防水性と、この屋根換気材の適用の自由度とを共に向上させることができる。
【００２２】
請求項４の発明は、請求項１に記載の屋根換気材を用いた棟屋根であって、
上記屋根が左右に並設される野地板と、これら各野地板にそれぞれ葺かれる左右地瓦群と、これら左右地瓦群の互いの各対向縁部に跨るように設けられる棟瓦群と、上記左右地瓦の各対向縁部と上記棟瓦群の左右各側部との間に介設される左右シール材とを備え、
上記屋根の棟頂部に沿った視線でみて（図１，２）山形状に屈曲され、その各端部側が上記各野地板と各地瓦群との間に介設される上記屋根換気材と、上記視線でみて（図１，２）山形状に屈曲され、その各端部側が上記棟瓦群の各側部と各シール材との間に介設される他の屋根換気材とを設けている。
【００２３】
このため、上記棟屋根には上記屋根換気材が２重に配置されることとなって、この屋根における防水性と内部側の換気性能とが、より確実に向上する。
【発明を実施するための最良の形態】
【００２４】
本発明の屋根換気材に関し、この屋根換気材の構成を簡単にし、かつ、その成形作業が容易にできるようにする、という目的を実現するため、本発明を実施するための最良の形態は、次の如くである。
【００２５】
即ち、屋根換気材は、互いに少し離れて対面する樹脂製の上、下板材と、これら上、下板材に一体的に形成され、これら上、下板材の間の空間を仕切るよう互いに平行に延びて多数の通気通路を形成する樹脂製の壁材とを備え、上記各通気通路を通し屋根の内、外部側が互いに連通可能にされている。そして、上記通気通路の長手方向での上記屋根換気材の一部分における上記上板材の部分が屋根の構造に合致するよう屈曲させられ、一方、上記屋根換気材の上記一部分における上記下板材の部分に、屋根の内部側からの空気を上記各通気通路内に流入可能とさせる通気入口が形成されている。
【実施例１】
【００２６】
本発明をより詳細に説明するために、その実施例１を添付の図１−３に従って説明する。
【００２７】
図１，２において、図中符号１は建物の屋根で、具体的には陸棟屋根である。
【００２８】
上記屋根１は、その棟頂部側から左右の外側方に向かうに従い下方に向かって傾斜する左右一対の野地板２，２と、これら野地板２，２を支持する棟木３と、上記左右野地板２，２の上面に敷設される不図示の防水性屋根シートと、上記各野地板２，２の上面に固定される桟木４と、これら桟木４に係止されると共に、上記野地板２，２の上面に釘５により固定される左右地瓦６，６群とを備えている。
【００２９】
また、上記屋根１は、上記左右地瓦６，６群の互いの各対向縁部９に跨るように設けられて棟頂部に沿って列設される棟瓦１０群と、上記左右野地板２，２の対向縁部から上方に向けて突設される棟金具１１と、この棟金具１１に支持され、棟頂部（棟瓦１０群に相当する）に沿って延びる棟下地材１２と、この棟下地材１２の長手方向で、所定ピッチで配置されて上記棟下地材１２に支持される複数の板金製固定具１３と、上記左右地瓦６群の各対向縁部９と上記棟瓦１０群の左右各側部との間に介設されるシール材１４とを備えている。
【００３０】
上記棟頂部に沿った視線でみて（図１，２）、上記固定具１３は台形状の山形状に屈曲されている。これら固定具１３上に上記棟瓦１０群が支持され、これら棟瓦１０群は、上記各固定具１３と棟下地材１２とに釘１５により固定され、上記野地板２側に支持されている。
【００３１】
上記屋根１の棟頂部に沿った視線でみて（図１，２）、三角頂部形状の山形状に屈曲され、その各端部側１８が上記各野地板２と各地瓦６群の対向縁部９との間に介設される樹脂製の屋根換気材１９が設けられている。
【００３２】
上記屋根換気材１９は、縦方向で互いに少し離れて対面する上、下板材２０，２１と、これら上、下板材２０，２１の間の空間を仕切るよう互いに平行に左右に延びて多数の通気通路２２を形成する多数の壁材２３とを備え、これら各材２０，２１，２３は互いに一体的に形成されている。
【００３３】
上記通気通路２２の長手方向（左右方向）での上記屋根換気材１９の一部分１９ａにおける上記上板材２０の部分が、屋根１の構造である左右野地板２，２の互いの対向縁部の構造に合致するよう、上記のように山形形状となるよう屈曲させられている。一方、上記屋根換気材１９の上記一部分１９ａにおける上記下板材２１の部分には、屋根１の内部側ＩＮからの空気２６を上記各通気通路２２内に流入可能とさせる通気入口２７が形成されている。この通気入口２７は、上記屋根換気材１９の下面側を、上記各通気通路２２の直交方向に向かって切り欠くことにより形成されている。また上記屋根１の内部側ＩＮを上記通気入口２７に連通させる切り欠き形状の連通路２９が上記各野地板２に形成されている。
【００３４】
上記屋根換気材１９の左右各端面には、上記各通気通路２２の各端部が開口している。これら各通気通路２２の端部開口は、上記各通気通路２２内の空気２６を屋根１の外部側ＯＵＴ側に向けて流出可能とさせる通気出口３０とされ、これら各通気出口３０は、上記野地板２と地瓦６群の間の下側空間３１と各地瓦６同士の隙間とを通し、屋根１の外部側ＯＵＴに連通している。
【００３５】
また、上記通気通路２２の長手方向での上記屋根換気材１９の他部分１９ｂにおける上記上板材２０の部分に、上記各通気通路２２内の空気２６を屋根１の外部側ＯＵＴに向けて流出可能とさせる他の通気出口３２が形成されている。この通気出口３２は、上記屋根換気材１９の上面側を、上記各通気通路２２の直交方向に向かって切り欠くことにより形成されている。上記他の通気出口３２は、上記地瓦６群と棟瓦１０群とで囲まれた上側空間３３と後述の他の屋根換気材１９とを通し屋根１の外部側ＯＵＴに連通している。
【００３６】
図１−３において、上記棟頂部に沿った視線でみて（図１，２）、台形状の山形状となるよう屈曲され、その各端部側１８が上記棟瓦１０群の各側部と各シール材１４の上端部との間に介設される他の屋根換気材１９が設けられている。この他の屋根換気材１９は上記各固定具１３の上面に支持されている。上記他の屋根換気材１９は、前記屋根換気材１９とほぼ同構成であり、上記通気入口２７と通気出口３０とが形成され、上記通気入口２７は上記上側空間３３に向かって開口し、上記通気出口３０は屋根１の外部側ＯＵＴに直接開口している。上記通気入口２７は切り欠き形成されており、その切り欠き面は、図３中、梨地模様で示している。
【００３７】
上記通気通路２２の長手方での上記他の屋根換気材１９の他部分１９ｂには、屋根１の内部側ＩＮからの空気２６を上記上側空間３３を通し上記各通気通路２２内に流入可能とさせる他の通気入口３５が形成されている。この通気入口３５は、上記他の屋根換気材１９の下面側を、上記各通気通路２２の直交方向に向かって切り欠くことにより形成されている。
【００３８】
上記構成によれば、通気通路２２の長手方向での上記屋根換気材１９の一部分１９ａにおける上記上板材２０の部分を屋根１の構造に合致させて屈曲させる一方、上記屋根換気材１９の上記一部分１９ａにおける上記下板材２１の部分に、屋根１の内部側ＩＮからの空気２６を上記各通気通路２２内に流入可能とさせる通気入口２７を形成してある。
【００３９】
このため、上記屋根換気材１９を屋根１の構造に合致するよう八の字状などに屈曲させて用いようとする場合、前記従来の技術では３つの構成部品が必要とされたが、上記屋根換気材１９では、単一の構成部品で足りる。よって、この屋根換気材１９の部品点数が少なくなる分、その構成を簡単にできる。
【００４０】
また、前記従来の技術では、左右換気部材を結合体により結合するという結合作業が必要とされたが、上記屋根換気材１９の成形作業では、上記結合作業は不要であり、よって、その分、この屋根換気材１９の成形作業は容易にできる。
【００４１】
しかも、上記のように屈曲させる上板材２０の部分と、上記通気入口２７を形成した下板材２１の部分とは、共に上記通気通路２２の長手方向における屋根換気材１９の一部分１９ａに位置している。このため、上記上板材２０の部分を屈曲させるとき、その反力として上記下板材２１の部分に応力が生じるということは回避される。よって、上記上板材２０の部分の屈曲が容易にできる。この結果、上記屋根換気材１９を所望形状に屈曲させて屋根１に設置する、という設置作業は容易にできる。
【００４２】
また、前記したように、屋根換気材１９の下面側を上記各通気通路２２の直交方向に向かって切り欠くことにより、上記通気入口２７を形成している。
【００４３】
このため、上記屋根換気材１９を成形する場合には、まず、上記上、下板材２０，２１と壁材２３とで構成される中間品を押出成形し、次に、この中間品を切断することにより所望寸法に形成すると共に、フライス削りやグラインダーなどにより、上記通気入口２７を切り欠き成形すればよい。そして、これら各作業はいずれも単純作業であるため、これら作業による上記屋根換気材１９の成形作業は容易にできる。
【００４４】
また、前記したように、通気通路２２の長手方向での上記屋根換気材１９の他部分１９ｂにおける上記上板材２０の部分に、上記各通気通路２２内の空気２６を屋根１の外部側ＯＵＴに向けて流出可能とさせる通気出口３２を形成している。
【００４５】
このため、上記通気通路２２の長手方向で、上記屋根換気材１９を十分に長くして屋根１の外部側ＯＵＴから内部側ＩＮへの水の浸入をより確実に防止するようにした場合でも、上記各通気通路２２内の空気２６を屋根１の外部側ＯＵＴに向けて排出させようとする通気入口３５の位置は、屋根１の構造に合致するよう、上記通気通路２２の長手方向での上記屋根換気材１９の中途部のいずれかに自由に設定できる。よって、上記屋根換気材１９による防水性と、この屋根換気材１９の適用の自由度とを共に向上させることができる。
【００４６】
また、前記したように、屋根１の棟頂部に沿った視線でみて（図１，２）山形状に屈曲され、その各端部側１８が上記各野地板２と各地瓦６群との間に介設される上記屋根換気材１９と、上記視線でみて（図１，２）山形状に屈曲され、その各端部側１８が上記棟瓦１０群の各側部と各シール材１４との間に介設される他の屋根換気材１９とを設けている。
【００４７】
このため、上記棟屋根１には上記屋根換気材１９が２重に配置されることとなって、この屋根１における防水性と内部側ＩＮの換気性能とが、より確実に向上する。
【００４８】
なお、以上は図示の例によるが、上記屋根換気材１９を構成する上、下板材２０，２１は２枚のみに限定されるものではなく、これらの間に１枚もしくは複数枚の中間板材が存在してもよい。
【００４９】
以下の図４，５は、実施例２，３を示している。これら各実施例は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００５０】
本発明をより詳細に説明するために、その実施例２を添付の図４に従って説明する。
【００５１】
図４において、屋根１は隅棟屋根である。
【００５２】
上記通気通路２２の長手方向での上記屋根換気材１９の他部分１９ｂにおける上記下板材２１の部分には、上記他の通気入口３５が形成されている。また、上記屋根１の内部側ＩＮを上記他の通気入口３５に連通させる円形の連通路２９が上記各野地板２に形成されている。
【実施例３】
【００５３】
本発明をより詳細に説明するために、その実施例３を添付の図５に従って説明する。
【００５４】
図５において、屋根１は、縦壁３９の外面を覆う化粧壁４０の下方で、上記縦壁３９から外側方に延びる野地板２と、桟木４と、地瓦６群と、上記化粧壁４０の下端側から上記地瓦６群の上方にまで延びる雨押え板４１と、上記地瓦６群と雨押え板４１との間に介設されるシール材１４とを備えている。
【００５５】
上記屋根１において、上記縦壁３９と野地板２との間に架設される上記屋根換気材１９と、上記雨押え板４１とシール材１４とをその外方から覆う上記他の屋根換気材１９とが設けられている。
【図面の簡単な説明】
【００５６】
【図１】実施例１を示し、屋根１の横断面図である。
【図２】実施例１を示し、図１の部分拡大図である。
【図３】実施例１を示し、他の屋根換気材１９の裏面部分斜視図である。
【図４】実施例２を示し、図１に相当する図である。
【図５】実施例３を示し、図１に相当する図である。
【符号の説明】
【００５７】
１    屋根
２    野地板
６    地瓦
９    対向縁部
１０  棟瓦
１４  シール材
１８  端部側
１９  屋根換気材
１９ａ  一部分
１９ｂ  他部分
２０  上板材
２１  下板材
２２  通気通路
２３  壁材
２６  空気
２７  通気入口
３０  通気出口
３１  下側空間
３２  通気出口
３３  上側空間
３５  通気入口
ＩＮ  内部側
ＯＵＴ  外部側
【図１】
2007046409.tif 000003
【図２】
2007046409.tif 000004
【図３】
2007046409.tif 000005
【図４】
2007046409.tif 000006
【図５】
2007046409.tif 000007